(57)【要約】【課題】細かい温度変化に対し、きめ細かく閃光発光時間を設定することで、目標とする閃光発光量を高精度に保つための工夫がされたカメラを提供する。【解決手段】温度を変数として、所定の発光光量を得るための発光時間を求める演算式を記憶し、この演算式に基づいて温度から発光時間を求めた。【選択図】　　　　図４
2004133294.tif 000002
【特許請求の範囲】
【請求項１】
被写体の撮影を行なうカメラにおいて、
撮影に同期して閃光を発し発光光量を発光時間で制御する閃光発光装置を備え、
該閃光発光装置が、
温度を検出する温度センサと、
温度を変数として、所定の発光光量を得るための発光時間を求める演算式を記憶しておく記憶部と、
前記演算式に基づいて前記温度センサで得られた温度から発光時間を求め、求められた発光時間だけ発光するように発光時間を制御する発光制御部とを備えたことを特徴とするカメラ。
【請求項２】
前記演算式は、各温度範囲内が一次式であって全体として折れ線であらわされる式であることを特徴とする請求項１記載のカメラ。
【発明の詳細な説明】
【０００１】
【発明の属する技術分野】
本発明は、閃光を発光する閃光発光装置を備え、被写体の撮影を行なうカメラに関する。
【０００２】
【従来の技術】
従来より、閃光を被写体に向けて照射する閃光発光装置を備えたカメラが知られている。
【０００３】
このようなカメラのなかには、閃光発光撮影を行う場合に、被写体までの距離情報、および装填されているフィルムのフィルム感度情報などに応じて、閃光発光光量の調節を行うものがある。
【０００４】
所定のガイドナンバーを有する閃光発光装置の閃光発光光量を、それら情報に応じて調節する方法の１つとして、閃光発光の発光時間を制御する方式が挙げられる。
【０００５】
ところが、この方式を採る閃光発光装置を備えたカメラでは、発光時間を制御して閃光発光光量を調節しても、温度が低下すると、目標とする発光光量よりも発光光量が低下し、温度が上昇すると、目標とする発光光量よりも発光光量が上昇するという現象が発生するため、思い通りの露出が得られない場合がある。
【０００６】
これは、閃光発光装置に備えられている、閃光発光のためのコンデンサの内部抵抗などが温度によって変化するためである。
【０００７】
そこで、温度を検知し、この検知した温度情報をも考慮に入れた発光時間で閃光発光を行なうカメラが提案されている（例えば、特許文献１参照。）。
【０００８】
上記提案のカメラには、距離情報およびフィルム感度情報に応じて決定された閃光発光量および予め決められた所定の温度範囲に応じて、所定の発光時間が設定されている参照テーブルが記憶されており、このカメラでは、温度情報をも加味された発光時間が参照テーブルから得られるため、目標とする閃光発光光量を安定的に発光することが可能である。
【０００９】
【特許文献１】
特開２０００−７２３１１号公報
【００１０】
【発明が解決しようとする課題】
ところで、上記提案のカメラにおいて、上記所定の温度範囲をさらに細かく分割し、細かく分割された温度範囲それぞれに対して異なる閃光時間を設定することで、目標とする閃光発光量の発光を高精度に安定させることが考えられる。しかし、上記提案のカメラでは、メモリ容量の関係上、温度範囲の細分化にも限界がある。
【００１１】
本発明は、上記事情に鑑み、細かい温度の違いに対応して、閃光発光時間を設定することで、目標とする閃光発光量を高精度に保つための工夫がされたカメラを提供することを目的とする。
【００１２】
【課題を解決するための手段】
上記目的を達成するための本発明のカメラは、
被写体の撮影を行なうカメラにおいて、
撮影に同期して閃光を発し発光光量を発光時間で制御する閃光発光装置を備え、
この閃光発光装置が、
温度を検出する温度センサと、
温度を変数として、所定の発光光量を得るための発光時間を求める演算式を記憶しておく記憶部と、
上記演算式に基づいて上記温度センサで得られた温度から発光時間を求め、この求められた発光時間だけ発光するように発光時間を制御する発光制御部とを備えたことを特徴とする。
【００１３】
本発明のカメラでは、目標とする発光光量の確保が、温度を変数とした演算式で算出される発光時間だけ閃光発生装置を発光させることで行なわれている。つまり、本発明のカメラでは、演算式の定数をメモリに記憶しておけば、検出された温度を変数とすることで、細かい温度の違いに対応した閃光発光時間の設定が可能であることから、本発明のカメラによれば、同じメモリ容量で比べた場合、目標とする閃光発光量をより高精度に保つことができる。
【００１４】
ここで、上記演算式は、各温度範囲内が一次式であって全体として折れ線であらわされる式であることが好ましい。
【００１５】
このようにすると、多次式と比べ、確度をさほど犠牲にすることなく、木目細かく温度の違いに対応することができる。
【００１６】
【発明の実施の形態】
以下、本発明のカメラの実施形態について説明する。
【００１７】
図１は、本発明のカメラの一実施形態の、斜め前方からの外観斜視図である。
【００１８】
図１に示すカメラ１の前面には、ズームレンズを構成する前面レンズ１０１を内蔵するレンズ鏡胴１０が中央に、測拒用の投光窓１１ａおよび受光窓１１ｂと、ファインダ対物窓１２と、ＡＥ受光窓１３とがレンズ鏡胴の上方に備えられている。レンズ鏡胴１０は、図示しないズームレバーに対する操作に応じて、繰り出しおよび繰り込みがされるものである。
【００１９】
図１に示すカメラ１の上面には、右側（図１の左側）にレリーズボタン１５が、左側に（図１の右側）にフラッシュ発光部１４が備えられており、フラッシュ発光部の前面には、フラッシュ発光窓１４ａが嵌め込まれている。レリーズボタン１５は、半押しと全押しの２段階式のものであり、半押し状態では測光および測距が行なわれ、全押し状態では、測光による輝度情報に応じて、閃光発光撮影あるいは通常撮影がロール状のフィルムに対して行なわれる。尚、図１に示すカメラ１の裏面には、画角確認のためにファインダ接眼窓、ズームを行なう際に操作されるズームレバー３１が備えられているほか、閃光発光撮影を、通常発光モード、あるいは赤目防止モードで行なうかを選択するために操作される発光モード選択ボタン３２が備えられている。
【００２０】
図２は、本実施形態のカメラの内部ブロック図である。
【００２１】
図２には、カメラ１の全体を制御する制御回路２１と、被写界輝度を検出する測光回路２２と、絞り兼用であるシャッタの開閉を制御するためのシャッタ駆動制御回路２３と、被写体までの距離を測定する測拒回路２４と、測拒回路による測拒情報に基づいて撮影レンズを駆動して合焦させるフォーカス駆動制御回路２５と、温度を検出するための温度検出回路２９０、および、詳しくは後述する一次式の傾きと切片などが記憶された記憶回路２９１を有する、フラッシュ発光が行なわれるフラッシュ発光回路２８と、装填されているフィルムのフィルム感度を検出するフィルム感度検出回路３３とが示されている。
【００２２】
また、図２には、シャッタボタン１５を半押しすることでオンされる、測光・測拒スイッチ２９、シャッタボタン１５を全押しすることでオンされる、撮影スイッチ３０、ズームを行なう際に操作されるズームレバー３１、および、発光モード選択ボタン３２も示されている。尚、図２には、露光済みのフィルムを給送するための給送機構などの図示は省略されている。
【００２３】
図３は、図２に示すフラッシュ発光回路の概略構成図である。
【００２４】
図３に示すフラッシュ発光回路２８には、フラッシュ発光回路全体を制御するマイコン２８０、温度検出回路２２９０、記憶回路２９１、発光のための電荷が蓄積されるメインコンデンサ２８６、閃光の発光時間を制御するドライバ２８１、充電電圧が検出されると共に充電回路部に対し充電の指示を出す充電制御部２８２、充電制御部からの指示を受けメインコンデンサを充電する充電回路部２８３、閃光を発光するキセノン管を有する発光部２８５、ドライバからの制御によりメインコンデンサの電荷を放電させるＩＧＢＴ（Ｉｎｓｕｌａｔｅｄ　Ｇａｔｅ　Ｂｉｐｏｌａｒ　Ｔｒａｎｓｉｓｔｏｒ）スイッチング素子２８７、発光部の側面電極２８５１にトリガ電圧を与えるための図示しないトリガコイルを備えた発光回路部２８４などが示されている。
【００２５】
ドライバ２８１は、ＩＧＢＴスイッチング素子２８７のベースに抵抗素子２８８を通じて接続されている。
【００２６】
発光部２８５は、陽極電極２８５２、陰極電極２８５３、および側面電極２８５１で構成されており、陽極電極２８５２は、発光回路部２８４に接続されると共に、メインコンデンサ２８６のプラス側に接続されており、陰極電極２８５３は、発光回路部２８４に接続されていると共に、ＩＧＢＴスイッチング素子２８７のコレクタに接続されている。
【００２７】
メインコンデンサ２８６のマイナス側には、ＩＧＢＴスイッチング素子２８７のエミッタと、発光回路部と、ＩＧＢＴスイッチング素子２８７のベースに接続された抵抗素子２８９とが接続されており、また、メインコンデンサ２８６のマイナス側は、これらに接続されていると共に電池のマイナス側にも接続されている。
【００２８】
ここで、図２および図３を参照しながら本実施形態のカメラ１の撮影動作の流れを説明する。
【００２９】
このカメラ１のシャッタボタン１５が半押しされると、測光回路２２から輝度情報が、測拒回路２４から距離情報が、フィルム感度検出回路３３からフィルム感度情報が得られる。
【００３０】
このカメラ１では、まず、輝度情報およびフィルム感度情報に基づき露出が決定され絞りおよびシャッタスピードが決定され、さらに、フラッシュ発光が必要か否かの判定が行なわれる。尚、この時、フラッシュ発光が必要であると判定されると、距離情報およびフィルム感度情報に基づいてフラッシュ発光光量が決定される。
【００３１】
本実施形態のカメラ１では、所定のガイドナンバーを有するフラッシュ発光装置の発光光量が、温度情報をも加味された発光時間によって調節されている。この温度情報を含めた閃光時間は、記憶回路に記憶された参照テーブルに記憶される一次式に対し温度情報を変数として与え、これを演算することで決定される。尚、フラッシュ発光は、絞り兼用シャッタがの所定の開口径のところで開始されるようになっている。以下の表１に、上記参照テーブルを示す。
【００３２】
【表１】
2004133294.tif 000003
【００３３】
上記の表１には、距離情報などに応じて決定されたフラッシュ発光光量に応じた発光時間が温度に応じて設定されている様子が、発光時間、あるいは発光時間を導き出すための一次式によってあらわされている。
【００３４】
表１の縦軸には、カメラ１に備えられたフラッシュ発光装置のフル発光をＥＶ値‘０．０’とした場合の、相対的な発光光量が示されており、ＥＶ値‘−１．０’はフル発光の半分の光量を意味し、ＥＶ値‘−２．０’は、ＥＶ値‘−１．０’の半分の光量、すなわちフル発光の４分の１の光量を意味する。
【００３５】
また、表１の横軸には、温度が６つのカテゴリに分割されて示されている。
【００３６】
ここで、例えば、決定されたフラッシュ発光光量がＥＶ値‘−３．０’であるときに、温度が−１１℃であった場合には発光時間は１２０μｓと決定され、温度が−７℃であった場合には、演算式が、−４．６６６×（温度）＋５４．７であることから、８７．３６２μｓが発光時間となる。さらに、温度が３５℃以上である場合には３５μｓとなり、温度が上がるにしたがって発光時間は短くなる。尚、表１の最下段には、前述した赤目防止モードが選択されている場合の本撮影前に行われる予備発光の発光時間も、温度により調整されていることが示されている。
【００３７】
本実施形態のカメラ１では、上述のように、決定されたフラッシュ発光光量の発光をいかなる温度において精度良く実行するために、温度情報を加味して導き出された発光時間によるフラッシュの発光が行なわれている。
【００３８】
図４は、表１に示される、発光光量ごとの、温度に対する時間の変化を示すグラフ図である。
【００３９】
図４には、発光時間が縦軸、温度が横軸であらわされており、測拒回路による距離情報などに応じて決定されるフラッシュ発光光量に応じた発光時間の、温度による変化が示されている。
【００４０】
このようにして発光時間が決定されると、シャッタボタン１５の全押しを待ち、シャッタボタン１５が全押しされると、撮影レンズが合焦位置に移動し図３に示す閃光発光回路のドライブ２８１に対し、制御回路２１からパルス信号の出力指示が出され、ドライバ２８１はパルス信号を出力し、出力されたパルスは、抵抗素子２８８を経由してＩＧＢＴスイッチング素子２８７のベースに入力される。このパルス信号のアサート時間は、以下において行われるフラッシュ発光の発光時間が、参照テーブルの参照などにより決定された時間となるように決定されている。
【００４１】
図５は、上段から、メインコンデンサの電圧、ＩＧＢＴスイッチング素子に対し入力されるパルス信号、メインコンデンサの放電電流すなわち発光波形Ｉｃを示す図である。
【００４２】
図５の左側には、閃光発光撮影が通常発光モードが選択されている場合の上記についての各波形が示されており、図５の右側には、赤目防止モードが選択されている場合の上記についての各波形が示されている。
【００４３】
通常発光の場合、上記パルス信号ＦＴがアサートされると、ＩＧＢＴスイッチング素子２８７がオン状態となり、発光回路部２８４に備えられた図示しないトリガ用コンデンサに蓄積された電荷が、同じく発光回路部に備えられた図示しないトリガコイルの一次巻線側とＩＧＢＴスイッチング素子とで形成されたループにおいて放電される。これにより、一次巻線側に電流が流れ、巻き数が一次巻線側よりも多い二次巻線側に大きな起電力が励起され、この大きな起電力がトリガ電圧として発光部２８５の側面電極２８５１に与えられるとともに、メインコンデンサ２８６のプラス側、キセノン管の陽極電極２８５２、キセノン管の陰極電極２８５３、ＩＧＢＴスイッチング素子２８７の経路で電流が流れてキセノン管が発光する。
【００４４】
赤目発光の場合、上記パルス波による、アサートおよびネゲートが３回繰り返されることで、発光時間の短い発光が行なわれ、その後、本発光が行なわれる。発光についての説明は上述した通りであるので省略する。尚、図５には、メインコンデンサの電圧ＭＣは、約３０５Ｖ付近にまで蓄電されている様子が示されている。
【００４５】
図６は、本実施形態のカメラの電源がオンされた場合に起動されるルーチンのフローチャートを示す図である。
【００４６】
ステップＳ１では、カメラ１に装填されているフィルム感度が検出される。
【００４７】
ステップＳ２では、フラッシュ発光回路２８のメインコンデンサ２８６の電圧が規定値に達しているか否かが判定される。ステップＳ２において、電圧が規定値に達していないと判定されると、ステップＳ３に進み充電が開始され、ステップＳ１に戻る。
【００４８】
ステップＳ２において、規定値に達していると判定されると、ステップＳ４に進み、シャッタボタン１５が半押しされているか否かが判定される。
【００４９】
ステップＳ４において、半押しされていないと判定されると、ステップＳ１に戻り、半押し状態であると判定されると、ステップＳ５に進む。
【００５０】
ステップＳ５では、測光が測光回路によって行なわれ、ステップＳ６では、測距が測距回路によって行われる。その後、ステップＳ７において、測光による輝度情報とフィルム感度情報により露出が決定される。その後、ステップＳ８に進む。
【００５１】
ステップＳ８では、フラッシュ発光が必要か否かが輝度情報により判定される。ステップＳ８において、必要ないと判定されると、通常の撮影として、ステップＳ１３に進み、必要であるとされると、ステップＳ９に進み、温度検出回路２６による温度情報の検出が行われる。その後、ステップＳ１０に進み、赤目防止モードが選択されているか否かが判定される。
【００５２】
ステップＳ１０において、赤目防止モードが選択されていると判定されると、ステップＳ１１に進み、赤目防止フラッグがアサートされる。
【００５３】
ステップＳ１０において、赤目防止モードが選択されていないと判定されると、ステップＳ１２に進み、測拒回路２４による距離情報、および上記温度情報などに基づいて参照テーブルを参照して発光時間が決定される。
【００５４】
その後、ステップＳ１３に進み、シャッタボタン１５が全押しされたか否かが判定される。ステップＳ１３において、全押しされていないと判定されると、ステップＳ１に戻り、全押しされたと判定されると、ステップＳ　１４に進み、合焦位置へのレンズ移動が行われる。その後、ステップＳ１５では、露光が行われ、閃光の発光も行なわれる。その後、ステップＳ１６では、フィルム送りが行われ、このルーチンは終了する。
【００５５】
以上説明したように、本実施形態のカメラ１では、一次式の傾きと切片をメモリに記憶しておけば、検出された温度を変数とすることで、細かな温度の違いに対応した発光時間の設定が可能である。したがって、本実施形態のカメラ１によれば、従来と同じメモリ容量で比べた場合、目標とする閃光発光量をより高精度に保つことができる。尚、本発明にいう演算式は、一次式に限るものではなく、二次式あるいは三次式であっても、本発明の効果を減却するものではない。
【００５６】
【発明の効果】
以上説明したように、本発明のカメラによれば、細かい温度変化に対し、きめ細かく閃光発光時間を設定することでき、目標とする閃光発光量を従来に比べ高精度に保つことができる。
【図面の簡単な説明】
【図１】本発明のカメラの一実施形態の、斜め前方からの外観斜視図である。
【図２】本実施形態のカメラの内部ブロック図である。
【図３】図２に示すフラッシュ発光回路の概略構成図である。
【図４】表１に示される、発光光量ごとの、温度に対する時間の変化を示すグラフ図である。
【図５】上段から、メインコンデンサの電圧、ＩＧＢＴスイッチング素子に対し入力されるパルス信号、メインコンデンサの放電電流すなわち発光波形Ｉｃを示す図である。
【図６】本実施形態のカメラの電源がオンされた場合に起動されるルーチンのフローチャートを示す図である。
【符号の説明】
１　カメラ
１０　レンズ鏡胴
１０１　前面レンズ
１１ａ　投光窓
１１ｂ　受光窓
１２　ファインダ対物窓
１３　ＡＥ受光窓
１４　フラッシュ発光部
２１　制御回路
２２　測光回路
２３　シャッタ駆動制御回路
２４　測拒回路
２５　フォーカス駆動制御回路
２８　フラッシュ発光回路
２８１　ドライバ
２８２　充電制御部
２８３　充電回路部
２８４　発光回路部
２８５　発光部
２８５１　側面電極
２８５２　陽極電極
２８５３　陰極電極
２８６　メインコンデンサ
２８７　ＩＧＢＴスイッチング素子
２９０　温度検出回路
２９１　記憶回路
３３　フィルム感度検出回路
【図１】
2004133294.tif 000004
【図２】
2004133294.tif 000005
【図３】
2004133294.tif 000006
【図４】
2004133294.tif 000007
【図５】
2004133294.tif 000008
【図６】
2004133294.tif 000009